(57)【要約】【課題】引き戸が急速に閉まるときには制動力を作用させて、静かに閉まるときには制動力を作用させないようにした引き戸急閉防止装置を提供する。【解決手段】水平枠部１６に取り付けられた固定制動部材５８と、引き戸１２が閉止位置（図２）に接近したときに、引き戸が所定速度以上のときには固定制動部材５８に係合して該引き戸に対して制動する制動位置となり、引き戸が所定速度以下のときには該固定制動部材５８に係合せずに制動作動をしない非制動位置とされる可動制動部材４８と、を有する。【選択図】図３
2007186987.tif 000002
【特許請求の範囲】
【請求項１】
開口部を画定する少なくとも１つの水平枠部と該水平枠部の一端から垂直に延びる垂直枠部とを有する開口枠と、
該開口枠内で該水平枠部に平行に動かされる引き戸であって、閉止位置において、該垂直枠部に隣接した位置となる垂直縁部、及び、該垂直縁部の一端から該水平枠部に隣接して平行に延びる水平縁部とを有する引き戸と、
からなる引き戸装置に取り付けられる引き戸急閉防止装置であって、
該水平枠部に固定された固定制動部材と、
該引き戸が閉止位置に接近したときに、該引き戸が所定速度以上のときには該固定制動部材に係合して該引き戸に対する制動を行なう制動位置となり、該引き戸が所定速度以下のときには該固定制動部材に係合せずに制動を行なわない非制動位置とされる可動制動部材と、
を有する引き戸急閉防止装置。
【請求項２】
該垂直枠部から所定距離はなれた位置で該水平枠部に取り付けられ、閉止位置に向かう引き戸によって該垂直枠部に向けて変位可能とされた可動フレームを有し、
該可動フレームが、該可動制動部材を該制動位置と該非制動位置との間で変位可能に支持している、
ことを特徴とする請求項１に記載の引き戸急閉防止装置。
【請求項３】
該可動フレームに変位可能にして取り付けられた起動部材と、
該可動フレームに取り付けられて、該起動部材が該可動フレームに対して相対的に変位されるのに抗する第１バネ部材と、
を有し、
該引き戸が該所定速度以上で閉止位置に接近したときに、該起動部材が、該第１バネ部材に抗して可動フレームに相対的に変位され、それによって、該可動制動部材を該制動位置へ動かすようにした
ことを特徴とする請求項２に記載の引き戸急閉防止装置。
【請求項４】
該起動部材が、該可動フレームに、該水平枠部に対して平行な方向で変位可能にして取り付けられ、
該第１バネ部材が、該可動フレームに取り付けられて、該起動部材が該垂直枠部の方向に向けて該可動フレームに対して相対的に変位されるのに抗するようにされており、
該引き戸が該所定速度以上で閉止位置に接近したときに、該起動部材が、該引き戸によって該垂直枠部の方向に向けて可動フレームに相対的に変位され、それによって、該可動制動部材を該制動位置へ動かすようにした
ことを特徴とする請求項３に記載の引き戸急閉防止装置。
【請求項５】
該引き戸が該所定速度以上で閉止位置に接近し、該起動部材が該可動フレームに対して相対的に変位されて、可動制動部材を該固定制動部材に制動係合させることにより該可動フレームの該垂直枠部に向けての動きを制動し、それにより、該引き戸を制動するようになされており、
該引き戸急閉防止装置が、更に、該可動フレームが制動停止されたときに、該引き戸が該可動フレームから受ける該垂直枠部から離れる方向に作用する反力によって、該可動フレームから跳ね返されるのを防止するための引き戸撥ね返り防止手段を有する
請求項３又は４に記載の引き戸急閉防止装置。
【請求項６】
該引き戸に固定され、該引き戸が閉止位置に接近したときに、該起動部材を該垂直枠部に向けて動かすトリガー部材を有し、
該引き戸撥ね返り防止手段が、該起動部材と該トリガー部材と磁気的に結合して、該引き戸の跳ね返りを防止するようにした請求項５に記載の引き戸急閉防止装置。
【請求項７】
該引き戸撥ね返り防止手段が、該起動部材に取り付けた磁石を有する請求項６に記載の引き戸急閉防止装置。
【請求項８】
該引き戸撥ね返り防止手段が、
該引き戸の移動方向において該トリガー部材に対向するようにして該起動部材に取り付けられた磁石と、
該トリガー部材が、該起動部材を該垂直枠部に向けて動かすときに、該起動部材と該トリガー部材との間に挟まれる磁性材からなる吸着プレートと、
該吸着プレートが該起動部材と該トリガー部材との間に挟まれる位置とされたときに、該トリガー部材を該吸着プレートとの間に挟んで固定することにより該跳ね返りを防止する撥ね返り防止部材と
を有する請求項７に記載の引き戸急閉防止装置。
【請求項９】
該吸着プレートは、該可動フレームに対して該引き戸の移動方向において相対的に変位可能にして該磁石から離れた位置に設定され、該引き戸が垂直枠部に接近したときに、該トリガー部材によって係合されて該磁石に係合する位置まで変位されるようになされている請求項８に記載の引き戸急閉防止装置。
【請求項１０】
該撥ね返り防止部材が、該トリガー部材を該磁石との間で挟んで該引き戸の撥ね返りを防止する撥ね返り防止位置と、該トリガー部材が該磁石に向かって動く経路から外れた休止位置との間で変位可能とされ、該吸着プレートが該トリガー部材によって該磁石に向けて変位されるのに基づき該休止位置から該撥ね返り防止位置に動かされるようにした請求項９に記載の引き戸急閉防止装置。
【請求項１１】
該撥ね返り防止部材が、該吸着プレートに対して枢着された枢動アームに取り付けられ、
該引き戸急閉防止装置は、該吸着プレートが該トリガー部材によって該磁石に向けて変位されるのに基づき、該撥ね返り防止部材が該休止位置から該撥ね返り防止位置まで変位するように該枢動アームを枢動するカム手段を有する請求項１０に記載の引き戸急閉防止装置。
【請求項１２】
該吸着プレートと該撥ね返り防止部材との間に設定され、該撥ね返り防止部材を該休止位置に付勢する第２バネ部材を有する請求項１１に記載の引き戸急閉防止装置。
【請求項１３】
該カム手段が、
該固定フレームに固定されたカム部材と、
該揺動アームに取り付けられ、該第２バネ部材の付勢力によって該カム部材のカム輪郭面に係合されるカム従動子と、
を有し、
該カム輪郭曲線は、該吸着プレートが該トリガー部材によって該磁石に向けて変位されるのに基づき、該撥ね返り防止部材を該休止位置から該撥ね返り防止位置に変位させるようにカム従動子をガイドする請求項１１又は１２に記載の引き戸急閉防止装置。
【請求項１４】
該可動制動部材と該起動部材との間に設けられ、該起動部材の変位によって該可動制動部材を該制動位置と非制動位置との間で変位するためのカム機構を有する請求項３乃至１３のいずれかに記載の引き戸急閉防止装置。
【請求項１５】
該カム機構が、
該起動部材に回転可能に取り付けられたローラと、
該可動制動部材に設けられ、該ローラと係合する傾斜面とから構成され、
該起動部材が該可動フレームに対して相対的に変位されることにより、該ローラが該傾斜面上を転動し、それにより、該可動制動部材を該制動位置と非制動位置との間で変位するようにした
請求項１４に記載の引き戸急閉防止装置。
【請求項１６】
該開口枠と該可動フレームとの間に設けられ、引き戸が閉止位置から開放位置にむけて動かされたときに、該可動フレームを該垂直枠部から上記所定距離はなれた位置に戻す第３バネ部材を有する請求項２乃至１５のいずれかに記載の引き戸急閉防止装置。
【請求項１７】
請求項１乃至１６のいずれかに記載の引き戸急閉防止装置が取り付けられた引き戸装置。
【発明の詳細な説明】
【技術分野】
【０００１】
本発明は引き戸に関し、特に、引き戸を閉める場合に、引き戸が所定以上の速度のままで閉止位置まで動くのを防止する急閉防止装置及び該急閉防止装置を備える引き戸装置に関する。
【背景技術】
【０００２】
引き戸は、それを閉めようとした場合、急激にしまると、該引き戸を取り付けている開口部の垂直枠部に衝突して大きな音が生じたり、引き戸を閉めようとした人が手の指を挟んでしまったりする虞がある。
【０００３】
このため、引き戸が開口部の垂直枠部に接近したときに、該引き戸に制動をかけるようにした引き戸急閉防止装置の開発がなされている（特許文献１、特許文献２参照）。
【特許文献１】特開平８−３０３１０８
【特許文献２】特開２００２−４７０３
【発明の開示】
【発明が解決しようとする課題】
【０００４】
これまで開発されてきている引き戸急閉防止装置は、エアダンパーやオイルダンパーなどのピストンシリンダを用いたものであり、垂直枠部に接近した引き戸が、該ピストンシリンダに係合して収縮させることにより制動力を生じさせるようになっている。従って、この装置では、引き戸を静かに閉める場合にも、その引き戸に対する抵抗力が生じ、制動装置が寧ろ邪魔になる。
【０００５】
本発明は、このような点に鑑み、引き戸を静かに閉めようとしているときには、該引き戸に対する抵抗力をなるべく小さくすることができ、しかも、引き戸が所定以上の速度で閉められようとしているときには、引き戸に対して制動をかけて、引き戸が急激に閉まるのを防止するようにした引き戸急閉防止装置及びそれを備えた引き戸を提供することを目的とする。
【課題を解決するための手段】
【０００６】
すなわち、本発明は
開口部を画定する少なくとも１つの水平枠部（以下に述べる実施形態における上部水平枠部１６に相当）と該水平枠部の一端から垂直に延びる垂直枠部（同実施形態においては参照番号２２で示す）とを有する開口枠と、
該開口枠内で該水平枠部に平行に動かされる引き戸（１０）であって、閉止位置において、該垂直枠部に隣接した位置となる垂直縁部（１５）、及び、該垂直縁部の一端から該水平枠部に隣接して平行に延びる水平縁部（１３）とを有する引き戸と、
からなる引き戸装置に取り付けられる引き戸急閉防止装置（２４）であって、
該水平枠部に固定された固定制動部材（水平板５８に相当）と、
該引き戸が閉止位置に接近したときに、該引き戸が所定速度以上のときには該固定制動部材（５８）に係合して該引き戸に対する制動を行う制動位置となり、該引き戸が所定速度以下のときには該固定制動部材に係合せずに制動を行わない非制動位置とされる可動制動部材（制動シューブロック４８に相当）と、
を有する引き戸急閉防止装置を提供する。
【０００７】
すなわち、この引き戸急閉防止装置では、該閉止位置に該所定速度以上で接近した引き戸に対しては制動をかけて急閉を防止するとともに、所定速度以下で閉められる引き戸に対しては制動をかけないようになっている。更に、制動をかけることにより、該引き戸が停止又は該所定速度以下になったときには、可動制動部は非制動位置となり、固定制動部材との係合による制動力が解除された状態で閉止位置まで動かすことができるようになっている。
【０００８】
具体的には、該引き戸急閉防止装置は、
該垂直枠部（２２）から所定距離はなれた位置で水平枠部（１６）に取り付けられ、閉止位置に向かう引き戸によって該垂直枠部に向けて変位可能とされた可動フレーム（２８）を有し、
可動フレームが、可動制動部材（４８）を制動位置と非制動位置との間で変位可能に支持するようにすることができる。
【０００９】
すなわち、閉止位置に向かう引き戸が所定以上の速度の場合、可動制動部材が固定制動部材に係合することにより当該可動制動部材を介して、引き戸に制動をかけることができるようにしている。
【００１０】
また、該引き戸急閉防止装置は、
可動フレーム（２８）に、変位可能にして、取り付けられた起動部材（起動フレーム４０に相当）と、
可動フレームに取り付けられて、起動部材が可動フレームに対して相対的に変位されるのに抗する第１バネ部材（コイルバネ７８に相当）と、
を有し、
引き戸が該所定速度以上で閉止位置に接近したときに、該起動部材が、該第１バネに抗して可動フレームに相対的に変位され、それによって、可動制動部材（４８）を制動位置へ動かすようにすることができる。
【００１１】
この場合、該第１バネ部材は、所定速度以上の引き戸によって変位された起動部材を、引き戸が所定速度以下になることに応答して垂直枠部から離れる方向へ戻し、それにより、可動制動部材が制動位置から非制動位置に戻るようにする。
【００１２】
具体的には、
起動部材（４０）が、該可動フレームに、該水平枠部に対して平行な方向で変位可能として取り付けられ、
第１バネ部材（７８）が、可動フレームに取り付けられて、起動部材が垂直枠部の方向に向けて可動フレームに対して相対的に変位されるのに抗するようにされており、
引き戸が所定速度以上で閉止位置に接近したときに、該起動部材が、引き戸によって垂直枠部の方向に向けて可動フレームに相対的に変位され、それによって、可動制動部材を制動位置へ動かすようにすることができる。
【００１３】
更に、
引き戸が所定速度以上で閉止位置に接近し、起動部材（４０）が可動フレーム（２８）に対して相対的に変位されて、可動制動部材（４８）を固定制動部材（５８）に制動係合させることにより該可動フレームの該垂直枠部に向けての動きを制動し、それにより、該引き戸を制動するようになされており、
該引き戸急閉防止装置が、更に、可動フレーム（２８）が制動停止されたときに、引き戸が可動フレームから受ける垂直枠部から離れる方向での反力によって、可動フレームから跳ね返されるのを防止するための引き戸撥ね返り防止手段（１００）を有するようにすることができる。
制動が急激に作用した場合、引き戸が跳ね返される可能性を防止するものである。
【００１４】
具体的には、
引き戸に固定され、引き戸が閉止位置に接近したときに、起動部材（４０）を垂直枠部に向けて動かすトリガー部材（８４）を有し、
引き戸撥ね返り防止手段（１００）が、起動部材とトリガー部材と磁気的に結合して、引き戸の跳ね返りを防止するようにすることができる。
【００１５】
この引き戸撥ね返り防止手段は、起動部材（４０）に取り付けた磁石（１１０）を有するものとすることができる。
【００１６】
具体的には、
引き戸撥ね返り防止手段は、
引き戸の移動方向においてトリガー部材（８４）に対向するようにして該起動部材（４０）に取り付けられた磁石（１１０）と、
トリガー部材が、起動部材（４０）を垂直枠部に向けて動かすときに、起動部材（４０）とトリガー部材（８４）との間に挟まれる磁性材からなる吸着プレート（１１２）と、
吸着プレートが起動部材とトリガー部材との間に挟まれる位置とされたときに、トリガー部材（８４）を吸着プレート（１１２）との間に挟んで固定することにより上記引き戸の撥ね返りを防止する撥ね返り防止部材（挟着プレート１２２に相当）と
を有するようにすることができる。
【００１７】
より具体的には、
吸着プレート（１１２）は、可動フレーム（２８）に対して引き戸の移動方向において相対的に変位可能にして磁石から離れた位置に設定され、引き戸が垂直枠部に接近したときに、トリガー部材（８４）によって係合されて磁石（１１０）に係合する位置まで変位されるようにすることができる。
【００１８】
また、
撥ね返り防止部材（１２２）が、トリガー部材（８４）を磁石（１１０）との間で挟んで跳ね返りを防止する撥ね返り防止位置と、トリガー部材が磁石に向かって動く経路から外れた休止位置との間で変位可能とされ、吸着プレート（１１２）がトリガー部材（８４）によって磁石に向けて変位されるのに基づき休止位置から撥ね返り防止位置に動かされるようにすることができる。
【００１９】
更に、
撥ね返り防止部材が、吸着プレートに対して枢着された枢動アームに取り付けられ、枢動アームは吸着プレートがトリガー部材によって磁石に向けて変位されるのに基づき、撥ね返り防止部材を休止位置から撥ね返り防止位置まで変位させるカム手段（同実施形態においてはローラ１１８や傾斜カム面１２０が構成）を有するようにすることができる。
吸着プレート（１１２）と撥ね返り防止部材（１２２）との間に第２バネ部材を設定し、撥ね返り防止部材を休止位置に付勢するようにすることができる。
【００２０】
該カム手段は、具体的には、
該固定フレームに固定されたカム部材と、
該揺動アームに取り付けられ、該第２バネ部材の付勢力によって該カム部材のカム輪郭面に係合されるカム従動子と、
を有し、
該カム輪郭曲線は、該吸着プレートが該トリガー部材によって該磁石に向けて変位されるのに基づき、該撥ね返り防止部材を該休止位置から該撥ね返り防止位置に変位させるようにすることができる。
【００２１】
また、可動制動部材（４８）と起動部材（４０）との間に設けられ、起動部材（４０）の変位によって可動制動部材（４８）を制動位置と非制動位置との間で変位するためのカム機構を有するようにすることができる。
【００２２】
具体的には、該カム機構が、起動部材に回転可能に取り付けられたローラ（４６）と、可動制動部材（４８）に設けられ、ローラと係合する傾斜面とから構成され、起動部材（４０）が可動フレーム（２８）に対して相対的に変位されることにより、ローラが傾斜面上を転動し、それにより、可動制動部材を制動位置と非制動位置との間で変位するようにすることができる。
【００２３】
更に、開口枠と可動フレームとの間に設けられ、引き戸が閉止位置から開放位置にむけて動かされたときに、可動フレームを垂直枠部から上記所定距離はなれた位置に戻す第２バネ部材（コイルバネ６４に相当）を設けることができる。
【００２４】
本発明は、また、以上のごとき引き戸急閉防止装置が取り付けられた開口枠と、引き戸が該閉止位置に接近したときに、該引き戸急閉防止装置に係合するトリガー部材が設けられた引き戸とを有し、該引き戸が所定速度以上で該閉止位置に接近したときに、該トリガー動部材によって可動制動部材が制動位置とされるようにした引き戸装置を提供する。
【発明の効果】
【００２５】
本発明は以上の通りの構成を有するものであり、引き戸が一定以上の速度で閉められようとしているときには、該引き戸に対して制動をかけて、該引き戸が急激に閉まるのを防止することができる。また、引き戸が静かに閉められようとしているときには、固定制動部材と可動制動部材との係合による制動力は掛からず、従来のピストンシリンダ式の装置に比べた場合、該引き戸の動きに対する抵抗力が実質的にない状態で閉めることを可能とする。引き戸が閉止位置から開放位置へむけて動かされたときに、急閉防止装置を元に戻す（具体的には、可動フレームを元の位置に戻す）ためのバネ部材を設ける場合でも、可動フレームの質量は、例えば１００ｇ程度の軽量なものであるために、該バネのバネ力も小さなものでよく、従って、引き戸を閉めるときに抵抗力をほとんど感じさせない程度のものとすることができる。
更に本発明では、急閉防止装置により閉止位置に向かう引き戸に急激な制動が加わった場合でも、該引き戸が跳ね返らないようにすることができる。
【発明を実施するための最良の形態】
【００２６】
以下、本発明に係る急閉防止装置及び該装置を備えた引き戸装置を添付図面に基づき説明する。
【００２７】
図１は、本発明に係る引き戸装置１０において、引き戸１２が閉止位置に接近している状態を示しており、図２は引き戸１２が閉止位置になったときの状態を示している。
【００２８】
引き戸装置１０は、当該装置の開口を画定する枠１４と引き戸１２とを有する。
【００２９】
枠１４の上部水平枠部１６には、レール１８が設定されており、引き戸１２は、その上部水平縁部１３に設けられた一対のブラケット１９に取り付けられたローラ２０が該レール１８に転動可能に係合されて、該レールに吊り下げられている。
【００３０】
枠１４の図で見て左側の垂直枠部２２に隣接したレール１８上には、本発明の特徴をなす引き戸急閉防止装置２４が設けられている。
【００３１】
該引き戸急閉防止装置２４は、図３及び図６乃至図９に拡大して示し、また、図４に斜視分解図で示すように、支持コラム２５（図１、図２）によってレール１８に固定されて水平に延びる固定フレーム２６と、該固定フレーム２６に対して水平方向で相対的に変位可能に設定された可動フレーム２８とを有している。
【００３２】
固定フレーム２６は、下向きに開口した溝型鋼状のものとされて上部水平枠部１６に固定されている。該固定フレーム２６の両側壁２９には水平方向に延びる細長いガイド孔３０が形成されている。
【００３３】
可動フレーム２８は、図４に示すように、ほぼ箱型とされており、その両側壁３２が固定フレーム２６の両側壁２９の内側に隣接して設定され、その横断方向に延びる３本のピン３３、３４、３５が固定されており、該ピン３３、３４、３５の両端が、固定フレーム２６のガイド孔３０に摺動可能に係合されている。可動フレーム２８の両側壁３２には、水平方向に延びる細長いガイド孔３６が形成されている。
【００３４】
可動フレーム２８には、該可動フレームに対して水平方向で相対的に変位可能とされた起動フレーム４０が取り付けられており、該起動フレーム４０には横断方向に延びる２本のガイドピン４２、４４が取り付けられ、その両端が可動フレーム２８の両側壁のガイド孔３６に摺動可能に係合しており、ガイドピン４４には、カムローラ４６が回動可能に取り付けられている。
【００３５】
可動フレーム２８には更に、制動シューブロック４８が設けられている。すなわち、この制動シューブロック４８には、可動フレーム２８のピン３４、３５を通す横断孔５０、５２が設けられおり、該横断孔５０、５２はピン３４、３５よりも直径が大きく、制動シューブロック４８が可動フレーム２８に対して上下方向で変位可能とされている。また、この制動シューブロック４８の下面にはカム傾斜面５４が形成されており、起動フレーム４０に取り付けられたカムローラ４６が転動可能に係合されている。
【００３６】
固定フレーム２６には、可動フレーム２８の頂面３１、及び、制動シューブロック４８の頂面５９に隣接して水平方向に延びる水平板５８が設けられている。後述するように、起動フレーム４０が垂直枠部２２に向けて、可動フレーム２８に対して相対的に変位することにより、カムローラ４６が制動シューブロック４８の傾斜面５４上を転動して、該制動シューブロック４８が上方へ変位し、制動シューブロック４８の頂面５９が水平板５８に押圧されるようになっている。すなわち、図示の引き戸急閉防止装置においては、該水平板５８が固定制動部材を、制動シューブロック４８が可動制動部材を構成している。
【００３７】
可動フレーム２８には、水平に設定された一対のバネ軸７６が設定されており、該バネ軸のそれぞれの周りにはコイルバネ７８が設定されている。該コイルバネ７８の一端（図３で見て左端）は、バネ軸７６に設定されたバネ係合部材７９に係合されており、他端はバネ軸７６に摺動可能に設定された起動フレーム４０のバネ係合壁８０に係合されている。図５に示すように、バネ係合部材７９は、バネ軸７６に沿って摺動可能とされ、可動フレーム２８にネジ係合された調節ネジ８２の先端が該バネ係合部材７９に係合して、該バネ係合部材を位置決めしており、従って、該調節ネジ８２を螺回することにより、該バネ係合部材７９の位置が調節され、それにより、コイルバネ７８の強さを調節できるようになっている。引き戸１２が閉止位置（図２）に接近していない状態においては、コイルバネ７８が該起動フレーム４０を右方へ付勢しており、該起動フレーム４０に固定されたピン４４が、可動フレーム２８の両側壁３２に形成されたガイド孔３６の右端に係合され、これにより、起動フレーム４０はその状態で、可動フレーム２８に対して位置決めされている。起動フレーム４０がこの位置にあるときには、制動シューブロック４８は、水平板５８から離れた非制動位置とされている。起動フレーム４０が可動フレーム２８に対するこの位置から左方へ変位されると、カムローラ４６が制動シューブロック４８のカム傾斜面５４上を転動し、それにより、該制動シューブロック４８を図で見て上方へ変位させ、水平板５８に係合する制動位置となるようにされている。
【００３８】
該水平板５８と固定フレーム２６の頂板６２との間には、水平方向に延びるコイルバネ６４が設定されている。具体的には、水平板５８は、一対の細長い部材６１、６１が、相互に幅方向で離して設定され、複数のネジ６３によって固定フレーム２６に固定されて形成されており、コイルバネ６４は、細長い部材６１、６１間に形成される溝状の間隙７３内に設定されている。コイルバネ６４の左端６８（図３）は、頂板６２の左端を下方に折り曲げて形成された係止部７０に係止されており、右端７２は、可動フレーム２８から間隙７３内に上方に延びるピン７４に係合されており、可動フレーム２８を右方へ付勢している。図示の例では、引き戸１２が閉止位置（図２）に接近していない状態において、コイルバネ６４の付勢力により、可動フレーム２８に固定されたピン３５が固定フレーム２６の両側壁２９のガイド孔３０の右端に係合され、それにより、該可動フレーム４０が該固定フレーム２６に対して位置決めされている。
【００３９】
図１及び図２に示すように、引き戸１２には、その上部水平縁部１３に設けたブラケット１９の上端部分にトリガー部材８４が固定されており、引き戸１２（の垂直縁部１５）が垂直枠部２２に近づく（すなわち、閉止位置に近づく）と、該トリガー部材８４が急閉防止装置２４の起動フレーム４０に係合するようになっている。
【００４０】
この引き戸装置１０において、引き戸１２が所定以上の速度で垂直枠部２２に近づくと、引き戸１２のトリガー部材８４が起動フレーム４０に係合して、コイルバネ７８に抗して、該起動フレーム４０を垂直枠部２２の方向へ変位させる。これによりカムローラ４６が可動制動シューブロック４８の傾斜面５４上を転動し、該制動シューブロック４８を上方へ変位させ、固定フレームの水平板５８に係合させて摩擦制動力を生じさせる。
【００４１】
この摩擦制動力によって、可動フレーム２８の垂直枠部２２の方向への動きが制動を受け、また、カムローラ４６も傾斜面５４から加えられる下方への力が次第に増大することにより、ピン４２、４４とガイド孔３６の側面との間の摩擦が増大する。これにより、引き戸１２の動きが制動を受け、速度が低下する。そして、該引き戸の速度が所定速度以下（引き戸が停止される場合を含む）になると、コイルバネ７８はその復元力により、起動フレームを元の位置にむけて戻すように作用し、それによって、カムローラ４６による摩擦シューブロック４８の上方への押付け力は減少し、制動位置から外れて非制動位置となる。
【００４２】
従って、該引き戸は、所定速度以下にされた状態で、制動シューブロックによる制動力を受けることなく、閉止位置へ進められることになる。このときに、コイルバネ６４のバネ力が、閉止位置へ向かう引き戸に抗して作用することになるが、該コイルバネ６４は、可動フレームを閉止位置に動かされる前の状態に戻すためのものであり、該可動フレームの質量は、例えば１００ｇ程度の小さいものとされ、該コイルバネ６４のバネ力は小さなもので済むので、質量が大きい引き戸を閉止位置へ動かすときの、それに抗する力としては、無視できる程度のものとなる。
【００４３】
引き戸が、所定以下の速度で静かに垂直枠部２２に近づくときは、コイルバネ７８の収縮は余り生じない状態で、コイルバネ６４の収縮が生じ、閉止位置まで動かすことができる。すなわち、この場合には、制動シューブロック４８が非制動位置に留まり、水平板５８との係合による制動力は生じず、従って、小さな力で閉止位置まで動かすことができる。
【００４４】
図１０乃至図１３は、本発明の他の実施形態に係る引き戸装置１０の引き戸急閉防止装置２４を示し、上述した第１の実施形態と同じエレメントに対しては同じ参照番号を付して示してある。
【００４５】
この引き戸急閉防止装置２４が、第１の実施形態のものと異なる点は、引き戸撥ね返り防止手段１００を設けたことにある。この引き戸撥ね返り防止手段１００は、引き戸が閉止位置に向けて動かされた際に、引き戸急閉防止装置２４が作動し、固定フレーム２６に対して可動フレーム２８が急激に制動固定された場合、その反動で、引き戸が開放位置に向けて跳ね返るのを防止するものである。
【００４６】
すなわち、この引き戸撥ね返り防止手段１００は、起動フレーム４０の（図で見て右端に取り付けられた）磁石１１０と、該磁石に吸着される磁性材からなる吸着プレート１１２を支持し、可動フレーム２８に水平方向で摺動可能に取り付けられたスライド部材１１４と、該スライド部材１１４に枢軸１１５により枢着された枢動アーム１１６と、該枢動アームに回転自在に取り付けられたローラ１１８と、固定フレーム２６の右端に形成された傾斜カム面１２０（図１２）と、該枢動アーム１１６の自由端に形成された挟着プレート１２２と、該ローラ１１８の回動軸１２４の周りに巻かれ、端部がそれぞれ吸着プレート１１２及び挟着プレート１２２に押圧係合するように設定されたトーションバネ１２６を有する。
【００４７】
具体的には、スライド部材１１４は、図４に示した可動フレーム２８に似た形状とされており、吸着プレート１１２の幅方向両側から、閉止位置方向に相互に平行に水平に延びる一対の矩形状のプレート状部材１３０（図においては一方のみ示す）を有する。該プレート状部材１３０は、それぞれ、制動シューブロック４８（図４）の左右の側面４８´と可動フレーム２８を構成している左右のプレート状部材２８´との間を水平に延びている。各プレート状部材１３０には、ガイドピン３４，３５を通す水平に延びるガイド孔１３２が設けられている。図１０乃至図１２においては、固定フレーム２６に設けられているガイド孔３０と重なって示されており、その伸張範囲が明瞭ではないが、その右端は図１０に示すとおりであり、左端は図１０におけるガイドピン３４に隣接した左側の位置となっている。要するに、該ガイド孔１３２は、スライド部材１１４が、ガイドピン３４，３５のガイドにより、可動フレーム２８に対して相対的に図１０の位置と図１１の位置との間で水平方向に移動可能にしている。
【００４８】
引き戸が、閉止位置近くにない場合、可動フレーム２８は前述した通りの位置（図１０）にある。その状態での引き戸撥ね返り防止手段１００のスライド部材１１４は、当該スライド部材１１４の可動フレーム２８に対する可動範囲の右端の位置（図１０）にあり、トーションバネ１２６が吸着プレート１１２と挟着プレート１２２との間を広げ、これにより枢動アーム１１６は、スライド部材１１４に対して上方へ傾斜し、ローラ１１８が傾斜カム面１２０上にある状態とされる。
【００４９】
この状態において、引き戸が閉止位置に向けて動かされると、該引き戸の上部水平縁部に固定されたトリガー部材８４が、吸着プレート１１２に係合して、スライド部材１１４を左方へ押し進め、該吸着プレート１１２が磁石１１０に吸着されるようになる。このとき、枢動アーム１１６は、スライド部材１１４の動きに伴って左方へ動かされるが、ローラ１１８が傾斜カム面１２０に係合しているので、該ローラ１１８が傾斜カム面１２０に沿って下方へ変位し、吸着プレート１１２が磁石によって吸着された時点（図１１）では、該ローラ１１８が傾斜カム面から外れて、該傾斜カム面に続く水平面に係合し、枢動アーム１１６が水平になる。これにより、挟着プレート１２２は、図１１に示すように垂直位置となり、引き戸のトリガー部材４８を該吸着プレート１１２との間で挟着するようになる。磁石１１０は、閉止位置に向かう引き戸によって、左方へ動かされる可動フレーム２８が、引き戸急閉防止装置１００の作用によって固定フレーム２６に対して急激に制動停止された場合に、その反動によって引き戸が跳ね返されないように、吸着プレート１１２を吸着する程度の磁力を有するようにされている。
【００５０】
従って、第２の実施形態においては、引き戸急閉防止装置２４が急激に作動したとしても、引き戸は開放位置に向けて跳ね返されることなく適正な制動を受け、従って、図１２に示す閉止位置まで静かに動かすことができる。
【００５１】
引き戸を閉止位置から開放位置に向けて動かすと、吸着プレート１１２と挟着プレート１２２の間に挟着されたトリガー部材８４が、可動フレーム２６を右方へ動かし、可動フレーム２６が図１０の位置になると、可動フレームに取り付けられているピン３５がガイド孔３０の右端に係合し、該可動フレームは停止される。引き戸が更に開放位置に向けて動かされると、トリガー部材８４は、挟着プレート１２２を右方へ押し、それにより、枢動アーム１１６が、磁石１１０の磁気吸引力に抗して、枢軸１１５を中心に上方へ押し上げて図１０に示す初期の状態となる。
【００５２】
尚、トリガー部材８４は、ゴムや樹脂等の弾性材で形成することが好ましい。そのようにすることにより、トリガー部材８４が吸着プレート１１２に衝突する際に、並びに、吸着プレート１１２がトリガー部材８４に押されて吸着プレート１１２が磁石１１０に衝突する際に、発生する衝突音を緩和することができる。また、トリガー部材８４をゴム等の弾性材で形成する代わりに、トリガー部材８４の吸着プレート１１２に係合する面、又は、吸着プレート１１２のトリガー部材８４に係合する面を、ゴム等の弾性部材で覆われるにようにしてもよい。以上、本発明に係る引き戸装置の実施形態の説明を行ったが、本発明はこれら実施形態に限定されるものではない。例えば、引き戸撥ね返り防止装置１００は、吸着プレート１１２、枢動アーム１１６、挟着アーム１２２等を用いずに、磁石１１０に吸着される磁性部材をトリガー部材８４に直接取り付けることができる。但し、ゴム等の弾性材で形成されているトリガー部材８４が、吸着プレート１１２を介して、磁石１１０に吸着する構成の方が、優れた緩衝効果等を得ることが可能となる。
【図面の簡単な説明】
【００５３】
【図１】本発明に係る急閉防止装置を備える引き戸装置の主要部の概要説明図である。
【図２】同装置の引き戸が閉止位置となったときの状態を示す概要説明図である。
【図３】同急閉防止装置の主要部を示す拡大概要説明図である。
【図４】同急閉防止装置の分解斜視図である。
【図５】同急閉防止装置の底部側から見た概要説明図である。
【図６】同急閉防止装置の動作説明図であり、閉止位置に接近する引き戸の急閉防止装置起動部材が急閉防止装置に接近している状態を示す図である。
【図７】同急閉防止装置の動作説明図であり、引き戸の急閉防止装置起動部材が急閉防止装置の起動フレームに係合して左方へ押し込み、カムローラが制動シューブロックを上方の制動位置に動かした状態を示している。
【図８】同急閉防止装置の動作説明図であり、制動シューブロックによる制動作用により制動を受けて引き戸が速度を低下することによる起動フレームへの押圧力が低下し、それにより該起動フレームが下方の非制動位置に向けて動かされる状態を示す。
【図９】同急閉防止装置の動作説明図であり、引き戸が、制動シューブロックによる制動が生じない状態で、閉止位置まで動かされた状態を示す。
【図１０】図６に類似する図であるが、本発明の引き戸急閉防止装置の他の実施形態を示す。
【図１１】図７に類似する図であり、同他の実施形態を示す。
【図１２】図９に類似する図であり、同他の実施形態を示す
【符号の説明】
【００５４】
引き戸装置１０；  引き戸１２；  上部水平縁部１３；  枠１４；  垂直縁部１５；  上部水平枠部１６；  レール１８；  ブラケット１９；  ローラ２０；  垂直枠部２２；  引き戸急閉防止装置２４；  支持コラム２５；  固定フレーム２６；  可動フレーム２８；  プレート状部材２８´；  側壁２９；  ガイド孔３０；  頂面３１；  側壁３２；  ピン３３、３４、３５；  ガイド孔３６；  起動フレーム（起動部材）４０；  ガイドピン４２、４４；  カムローラ（カム機構の一部、カム従動子）４６；  制動シューブロック（可動制動部材）４８；  側面４８´；  横断孔５０、５２；  カム傾斜面（カム機構の一部、傾斜面）５４；  水平板（固定制動部材）５８；  頂面５９；  細長い部材６１；    頂板６２；  コイルバネ（第３バネ部材）６４；  左端６８；  係止部７０；  右端７２；  間隙７３；  ピン７４；  バネ軸７６；  コイルバネ（第１バネ部材）７８；  バネ固定部材７９；  バネ係合壁８０；  トリガー部材８４；  引き戸撥ね返り防止手段１００；  吸着プレート１１２：  スライド部材１１４；  枢軸１１５；  枢動アーム１１６；  ローラ（カム手段の一部、カム従動子）１１８；  傾斜カム面（カム手段の一部、カム部材）１２０；  挟着プレート（撥ね返り防止部材）１２２；  枢軸１２４；  トーションバネ（第２バネ部材）１２６；  プレート状部材１３０；ガイド孔１３２
【図１】
2007186987.tif 000003
【図２】
2007186987.tif 000004
【図３】
2007186987.tif 000005
【図４】
2007186987.tif 000006
【図５】
2007186987.tif 000007
【図６】
2007186987.tif 000008
【図７】
2007186987.tif 000009
【図８】
2007186987.tif 000010
【図９】
2007186987.tif 000011
【図１０】
2007186987.tif 000012
【図１１】
2007186987.tif 000013
【図１２】
2007186987.tif 000014